(57)【要約】【課題】３モードの表示が可能であるとともに映像と表示体とを同時に目視することができるディスプレイ装置を提供する。【解決手段】  透明液晶ディスプレイパネル１２、および透明液晶ディスプレイパネル１２の背面に密着してまたは間隔をおいて配置され、透明状態と不透明状態とに切換え可能な液晶調光パネル１４とからなるディスプレイ本体１０、液晶調光パネル１４を背面から照明する照明装置２４、透明液晶ディスプレイパネル１２に映像を送出する映像送出装置、ならびに前記液晶調光パネル１４の透明／不透明、照明装置の点灯／消灯、および映像送出装置の透明液晶ディスプレイパネル１２への映像送出／送出休止を制御する制御装置とを備えている。【選択図】      図１
2005128393.tif 000002
【特許請求の範囲】
【請求項１】
透明液晶ディスプレイパネル、および透明液晶ディスプレイパネルの背面に密着してまたは間隔をおいて配置され、透明状態と不透明状態とに切換え可能な液晶調光パネルとからなるディスプレイ本体、液晶調光パネルを背面から照明する照明装置、透明液晶ディスプレイパネルに映像を送出する映像送出装置、ならびに前記液晶調光パネルの透明／不透明、照明装置の点灯／消灯、および映像送出装置の透明液晶ディスプレイパネルへの映像送出／送出休止を制御する制御装置とを備えたことを特徴とするディスプレイ装置。
【請求項２】
前記ディスプレイ本体が弾球遊技機のハウジング内であって役物の前面に配置された請求項１記載のディスプレイ装置。
【請求項３】
前記ディスプレイ本体が回胴遊技機のハウジング内の盤面に配置された請求項１記載のディスプレイ装置。
【請求項４】
前面に開口部と表示体が配置される表示部とを有するハウジングと、前記開口部に取り付けられた透明液晶ディスプレイパネルと、透明液晶ディスプレイパネルの背面に密着してまたは間隔をおいて配置され、透明状態と不透明状態とに切換え可能な液晶調光パネルと、前記表示部内を照明する照明装置と、透明液晶ディスプレイパネルに映像を送出する映像送出装置と、前記液晶調光パネルの透明／不透明、照明装置の点灯／消灯、および映像送出装置の透明液晶ディスプレイパネルへの映像送出／送出休止を制御する制御装置とを備えたことを特徴とするディスプレイ装置。
【請求項５】
少なくとも前記ディスプレイ本体に面する部分が開放されようにして前記表示体を囲む板状の拡散透光体が前記表示部内に配置され、前記照明装置の複数の光源がハウジングの周壁と拡散透光体との間に配置された請求項４記載のディスプレイ装置。
【請求項６】
前記複数の光源をそれぞれ独立して点灯／消灯ができる請求項４または請求項５記載のディスプレイ装置。
【請求項７】
前記複数の光源が上、下２段に配列された請求項４、５または６記載のディスプレイ装置。
【発明の詳細な説明】
【技術分野】
【０００１】
この発明は、商品展示、遊技機などに利用されるディスプレイ装置に関する。
【背景技術】
【０００２】
最近、商品展示ケース、遊技機などに商品広告効果あるいは遊戯興趣の向上を図るためにディスプレイ装置の利用が提案されている。
【０００３】
ディスプレイ装置の一つとして、窓用の開口部を有するとともに内部に展示物を収容する展示室と、この展示室の開口部に設けられるとともに透明状態と不透明状態とを選択的に切り換えられる液晶ガラスと、展示室内を照明するとともにその照明状態と非照明状態とを選択的に切り換えられる照明装置と、展示室の内部を介して液晶ガラスに展示室内側から映像を投影するとともにその投影状態と非投影状態とを選択的に切り換えられる映像投影装置と、液晶ガラスの透明状態、照明装置の照明状態および映像投影装置を非投影状態にする第１モードと、液晶ガラスの不透明状態、照明装置の非照明状態および映像投影装置を投影状態にする第２モードとを切換制御する制御装置を備えているものがある（例えば、特許文献１参照）。このディスプレイ装置は、展示物を入れ替えなくても、多くの情報を提供できるなど、バリエーションのあるディスプレイを行なうことができる。
【０００４】
また、他のディスプレイ装置として、展示ケースがあり、この展示ケースは展示物が収納され、少なくともその側面に透視可能な透光パネルが設けられており、少なくとも透光パネルの一部が液晶ディスプレイで構成されたものがある（例えば、特許文献２参照）。この展示ケースは、展示された物品に関する情報等を、物品より視線を外すことなく確認することができる。
【特許文献１】実開平４−９３６６０号公報（第４頁〜５頁、段落［０００４］）
【特許文献２】特開２０００−１４６号公報（第２頁、段落［０００６］）
【発明の開示】
【発明が解決しようとする課題】
【０００５】
従来の前記ディスプレイ装置は、投影映像の目視および表示体の目視の２モードの表示が可能である。しかし、この従来のディスプレイ装置では、表示モードが２モードのみであり、表示内容の変化が乏しい。また、投影された映像と表示体とを同時に見ることはできないという問題もある。
【０００６】
前記展示ケースは、表示体および表示体に関連する画像や文字情報を同時に目視できる。しかし、表示モードは装置休止モードを除いて１モードのみであり、前記ディスプレイ装置に比べて表示内容の変化がいっそう乏しい。
【０００７】
この発明は、上記課題を解決したものであって、３モードの表示が可能であるとともに映像と表示体を同時に目視することができるディスプレイ装置を提供するものである。
【課題を解決するための手段】
【０００８】
第１発明のディスプレイ装置は、透明液晶ディスプレイパネル、および透明液晶ディスプレイパネルの背面に密着してまたは間隔をおいて配置され、透明状態と不透明状態とに切換え可能な液晶調光パネルとからなるディスプレイ本体、液晶調光パネルを背面から照明する照明装置、透明液晶ディスプレイパネルに映像を送出する映像送出装置、ならびに前記液晶調光パネルの透明／不透明、照明装置の点灯／消灯、および映像送出装置の透明液晶ディスプレイパネルへの映像送出／送出休止を制御する制御装置とを備えている。
【０００９】
上記ディスプレイ装置において、前記ディスプレイ本体が弾球遊技機のハウジング内であって役物の前面に配置され、または回胴遊技機のハウジング内の盤面に配置されたディスプレイ装置であってもよい。
【００１０】
第２発明のディスプレイ装置は、前面に開口部と表示体が配置される表示部とを有するハウジングと、前記開口部に取り付けられた透明液晶ディスプレイパネルと、透明液晶ディスプレイパネルの背面に密着または間隔をおいて配置され、透明状態と不透明状態とに切換え可能な液晶調光パネルと、前記表示部内を照明する照明装置と、透明液晶ディスプレイパネルに映像を送出する映像送出装置と、前記液晶調光パネルの透明／不透明、照明装置の点灯／消灯、および映像送出装置の透明液晶ディスプレイパネルへの映像送出／送出休止を制御する制御装置とを備えている。
【００１１】
上記ディスプレイ装置において、少なくとも前記ディスプレイ本体に面する部分が開放されるようにして表示体を囲む板状の拡散透光体を前記表示部内に配置し、前記照明装置の複数の光源をハウジングの周壁と拡散透光体との間に配置するようにしてもよい。また、このディスプレイ装置において、前記光源がそれぞれ独立して点灯／消灯可能であるとしてもよく、また前記光源を上、下２段に配列してもよい。
【発明の効果】
【００１２】
この発明のディスプレイ装置では、透明液晶ディスプレイパネル、液晶調光パネルおよび照明装置を備えているので、映像と表示体とを同時に表示するモード、表示体のみ表示するモード、および映像のみを表示するモードの３表示モード可能である。したがって、商品の広告効果あるいは遊技機の興趣のいっそうの向上を図ることができる。
【００１３】
また、表示部内に板状の拡散透光体を設けることにより、液晶調光パネルおよび表示部内を一様に照明することができる。また、複数の光源の点灯／消灯を選択的に行なうことにより、表示体の陰影を変化させることもできる。
【発明を実施するための最良の形態】
【００１４】
図１および図２はこの発明の第１の実施の形態を示すもので、図１はディスプレイ装置主要部の模式的斜視図であり、図２は図１に示すディスプレイ装置の全体構成図である。
【００１５】
図１および図２に示すように、ディスプレイ装置は主としてディスプレイ本体１０、映像送出装置２０、照明装置２４、２７および制御装置３０から構成されている。
【００１６】
ディスプレイ本体１０は、透明液晶ディスプレイパネル１２および液晶調光パネル１４からなっている。ディスプレイ本体１０は、他の装置、例えば展示ケースあるいは弾球遊技機のハウジング内であって役物の前面、または回胴遊技機のハウジング内の盤面（いずれも図示しない）にそれぞれ直接または取付け枠１８を介して取り付けることができる。
【００１７】
透明液晶ディスプレイパネル１２は、図２に示すように映像送出装置２０に接続されており、映像送出装置２０から送られてくる映像を表示する。透明液晶ディスプレイパネル１２は、映像表示の有無にかかわらず、常に透明状態となっている。
【００１８】
映像送出装置２０は、透明液晶ディスプレイパネル１２に映像を送出する。映像送出装置２０として、例えばＤＶＤプレーヤーが用いられる。なお、映像送出装置２０の代わりに、後述の制御装置３０のハードディスク３５に記憶された映像データを透明液晶ディスプレイパネル１２に送出するようにしてもよい。
【００１９】
液晶調光パネル１４は、透明液晶ディスプレイパネル１２の背面に密着または間隔をおいて配置されている。液晶調光パネル１４は、液晶物質を２枚の透明電極面の間に封入し、これらを２枚のプラスチック薄膜またはガラス板（いずれも図示しない）で挟み込んで構成されている。液晶物質は、電圧印加の有無により透明状態または乳白色の不透明状態になる。液晶調光パネル１４にはスイッチング回路２２が接続されている。
【００２０】
照明装置は、それぞれ独立した液晶調光パネル照明装置２４と表示体照明装置２７とからなっており、各照明装置２４、２７は光源２５、２８およびスイッチング回路２６、２９を備えている。液晶調光パネル照明装置２４は液晶調光パネル１４を照明し、表示体照明装置２７は表示体１を照明する。この実施の形態では照明装置は液晶調光パネル照明装置２４と表示体照明装置２７とをそれぞれ独立して設けているが、一つの照明装置で両照明装置の照明を兼ねてもよい。また、表示体１が上記照明装置以外の、例えば既設の照明装置で照明される場合は、表示体照明装置２７を省略してもよい。
【００２１】
制御装置３０は、図３に示すようにコンピューターからなっている。ＣＰＵ３１は、ＲОＭ３３またはハードディスク３５に記憶された制御プログラムを実行し、システムバス３４に入、出力インターフェース（図示しない）を介して接続された映像送出装置２０、液晶調光パネル１４のスイッチング回路２２、照明装置２４、２７のスイッチング回路２６、２９を制御する。ＲＡＭ３２は、ＣＰＵ３１の主メモリとして機能する。ハードディスク３５内の制御プログラムなどの追加、書換えはキーボード３７を介して行なう。モニター３９は、透明液晶ディスプレイパネル１２の映像表示状態、液晶調光パネル１４の透明／不透明状態、照明装置２４、２７の照明状態などを表示する。
【００２２】
ここで、上記のように構成されたディスプレイ装置の動作を、表示体１が商品であり、その広告を例にして説明する。このディスプレイ装置では、ディスプレイの表示態様によって第１〜第３表示モードをとることができる。いずれの表示モードにするかは、制御装置３０によりあらかじめ設定されたプログラムに従って自動的に選択するか、または見る人がディスプレイ装置の透明液晶ディスプレイパネル１２に設けられたタッチパネルもしくは人体検知センサー４５、または装置前面に配置された選択スイッチ４６により希望する表示モードを選択する。
【００２３】
第１表示モードでは、透明液晶ディスプレイパネル１２に展示商品に関する情報、または商品１に関係のない情報（例えば風景写真、ニュース、天気予報など）を表示し、商品１は見えない状態となる。この場合、液晶調光パネル１４は不透明状態とするとともに液晶調光パネル照明用光源２５を点灯し、表示体照明用光源２８は消灯する。
【００２４】
第２表示モードでは、透明液晶ディスプレイパネル１２に展示した商品１の説明を表示し、商品１は見られる状態となる。この場合、液晶調光パネル１４を透明状態にするとともに液晶調光パネル照明用光源２５を消灯し、表示体照明用光源２８を点灯する。したがって、ディスプレイを見る人は商品１とともにその説明を見ることができる。
【００２５】
第３表示モードでは、透明液晶ディスプレイパネル１２には映像の表示はなく、商品１のみが見える状態となる。この場合、透明液晶ディスプレイパネル１２への映像の送出は停止され、液晶調光パネル１４は透明状態にするとともに、液晶調光パネル用照明光源２５は消灯し、表示体照明用光源２８は点灯する。ディスプレイを見る人は、商品１だけを見ることになる。
【００２６】
図４〜図７は、この発明の第２の実施の形態を示している。図４はディスプレイ装置の主要部の正面図、図５は図４の５−５線に沿う断面図、図６は図５の６−６線に沿う断面図、図７は図６の７−７線に沿う断面図である。なお、図１または図２に示す装置、部材と同様の装置、部材には同一の参照符号を付け、その詳細な説明は省略する。
【００２７】
ハウジング５０は、全体として箱形をしており、前壁５１に開口部５２が設けられている。上記開口部５２に透明液晶ディスプレイパネル１２が、また透明液晶ディスプレイパネル１２の背後に液晶調光パネル１４が取り付けられている。液晶調光パネル１４の背後の空間は、表示体１が配置される表示部５３となっている。
【００２８】
表示部５３内に、コ字形の拡散透光体６０が配置されている。拡散透光体６０は、３枚の拡散透光板６１、６２、６３がそれぞれハウジング５０の壁寄りにかつ側壁５４、５５および後壁５６に沿い前方に向かって開口するように配置されている。拡散透光板６１〜６３は、乳白色半透明のアクリル板あるいはガラス板が用いられる。
【００２９】
照明装置７０の光源７１の１２個が、ハウジング５０の壁５４〜５６と拡散透光体６０との間に上、下２段に配置されている。光源７１はランプ形蛍光灯である。照明装置７０は、電源およびスイッチング回路（いずれも図示しない）を備えている。
【００３０】
この実施の形態のディスプレイ装置も、図示していないが映像送出装置および制御装置を備えている。
【００３１】
上記のよう構成されたディスプレイ装置の動作は、第１の実施の形態のディスプレイ装置と同じである。なお、すべての光源７１を点灯すると、液晶調光パネル１４および表示部５３内は一様に照明される。また、液晶調光パネル裏面を所要の照度に維持した状態で、例えば片側の側面の光源あるいは上段のみの光源を点灯するなど点灯／消灯を選択的に行なうことにより、表示体の陰影を変化させることもできる。
【００３２】
この発明は上記実施の形態に限られるものではない。例えば、少なくともディスプレイ本体に面する部分が開放されておれば、拡散透光体の形状は半円弧、１／３円弧、楕円弧あるいはその他の形状であってもよい。
【図面の簡単な説明】
【００３３】
【図１】この発明の第１の実施の形態を示すもので、ディスプレイ装置主要部の模式的斜視図である。
【図２】図１に示すディスプレイ装置の全体構成図である。
【図３】上記ディスプレイ装置の制御装置の構成図である。
【図４】この発明の第２の実施の形態を示すもので、ディスプレイ装置主要部の正面図である。
【図５】図４の５−５線に沿う断面図である。
【図６】図５の６−６線に沿う断面図である。
【図７】図６の７−７線に沿う断面図である。
【符号の説明】
【００３４】
１  表示体（商品）                １０  ディスプレイ本体
１２  透明液晶ディスプレイパネル    １４  液晶調光パネル  
２０  映像送出装置                  ２２  液晶調光スイッチング回路
２４、２７  照明装置                ２５、２８  光源
２６、２９  スイッチング回路        ３０  制御装置
３１  ＣＰＵ                        ３２  ＲＡＭ
３３  ＲОＭ                        ３４  システムバス
３５  ハードディスク                ４５  タッチパネルまたは人体検知センサー
４６  選択スイッチ                  ５０  ハウジング
５１  前壁                          ５２  開口部
５４、５５  側壁                    ５６  後壁
６０  拡散透光体                    ６１、６２、６３  拡散透光板
７０  照明装置                      ７１  光源
【図１】
2005128393.tif 000003
【図２】
2005128393.tif 000004
【図３】
2005128393.tif 000005
【図４】
2005128393.tif 000006
【図５】
2005128393.tif 000007
【図６】
2005128393.tif 000008
【図７】
2005128393.tif 000009